(57)【要約】【課題】配管に接続されている消火栓弁を配管から取り外すことなく、容易に消火栓弁収納箱の取り付けおよび取り外しをおこなうこと。【解決手段】消火栓弁収納箱は、配管に接続された消火栓弁を内部に収納する。消火栓弁収納箱には、配管に接続された消火栓弁を、当該消火栓弁収納箱の内部と外部との間で通過させることができる形状の開口部が形成されている。消火栓弁収納箱は、配管が設けられている壁に取り付けられ、開口部は、消火栓弁収納箱の外面のうちの壁に取り付けられる面に形成されている。【選択図】図１
0003150982.tif 000002
【実用新案登録請求の範囲】
【請求項１】
配管に接続された消火栓弁を内部に収納する消火栓弁収納箱であって、
前記配管に接続された前記消火栓弁を、当該消火栓弁収納箱の内部と外部との間で通過させることができる形状の開口部が形成された
消火栓弁収納箱。
【請求項２】
当該消火栓弁収納箱は、
前記配管が設けられている壁に取り付けられ、
前記開口部は、
当該消火栓弁収納箱の外面のうちの前記壁に取り付けられる面に形成されている
請求項１に記載の消火栓弁収納箱。
【請求項３】
前記壁に略平行な面において、前記開口部の最小断面積は、前記配管に接続された前記消火栓弁の最大断面積よりも大きい
請求項２に記載の消火栓弁収納箱。
【請求項４】
前記開口部は、
長穴形状または長方形状を有する
請求項３に記載の消火栓弁収納箱。
【考案の詳細な説明】
【技術分野】
【０００１】
本考案は、消火栓弁収納箱に関する。
【背景技術】
【０００２】
特許文献１には、消火用ホースおよび消火用ノズルとともに消火栓弁を収納する消火栓弁収納箱が記載されている。
【先行技術文献】
【特許文献】
【０００３】
【特許文献１】特開平０９−２８５５６３号公報
【考案の概要】
【考案が解決しようとする課題】
【０００４】
しかしながら、従来技術では、老朽化または破損した消火栓弁収納箱を交換する場合、消火栓弁を配管から一旦取り外す必要があった。長期間配管から取り外されていない消火栓弁は錆付きなどにより、配管に固着している場合が多く、消火栓弁の取り外しに、手間、時間、費用がかかっていた。
【課題を解決するための手段】
【０００５】
上記課題を解決するために、本考案の第１の態様においては、配管に接続された消火栓弁を内部に収納する消火栓弁収納箱であって、配管に接続された消火栓弁を、当該消火栓弁収納箱の内部と外部との間で通過させることができる形状の開口部が形成された消火栓弁収納箱である。
【０００６】
なお、上記の考案の概要は、本考案の必要な特徴の全てを列挙したものではない。また、これらの特徴群のサブコンビネーションもまた、考案となりうる。
【図面の簡単な説明】
【０００７】
【図１】消火栓弁収納箱１００の正面図およびＡＡ断面図を示す。
【図２】消火栓弁収納箱１００の背面図を示す。
【図３】壁３００に取り付けられている状態の消火栓弁収納箱１００の一例を示す。
【図４】屋外用の消火栓弁収納箱４００の、正面扉４０３を装着した状態の正面図、右側面図、および正面扉４０３を取り外した状態の正面図を示す。
【図５】屋内用の消火栓弁収納箱５００の、正面扉５０３および正面扉５０５を装着した状態の正面図、右側面図、および正面扉５０３および正面扉５０５を取り外した状態の正面図を示す。
【図６】屋外用の消火栓弁収納箱６００の、正面扉６０３および正面扉６０５を装着した状態の正面図、右側面図、および正面扉６０３および正面扉６０５を取り外した状態の正面図を示す。
【考案を実施するための形態】
【０００８】
以下、考案の実施の形態を通じて本考案を説明するが、以下の実施形態は実用新案登録請求の範囲にかかる考案を限定するものではない。また、実施形態の中で説明されている特徴の組み合わせの全てが考案の解決手段に必須であるとは限らない。
【０００９】
図１は、消火栓弁収納箱１００の正面図およびＡＡ断面図を示す。図２は、消火栓弁収納箱１００の背面図を示す。図３は、壁３００に取り付けられている状態の消火栓弁収納箱１００の一例を示す。
【００１０】
消火栓弁収納箱１００は、配管に接続された６５Ａ×１８０°規格の消火栓弁３２０を内部に収納する。消火栓弁収納箱１００は、主に鋼板などの金属材料を用いて製造されており、高さ５００ｍｍ×幅４００ｍｍ×奥行き２５０ｍｍの直方体形状を有する。消火栓弁収納箱１００の正面１０２には、開閉自在な正面扉１０３が設けられている。
【００１１】
消火栓弁収納箱１００には、当該消火栓弁収納箱１００の外部から内部に配管を取り込むための開口部１１０が形成されている。開口部１１０は、配管に接続された消火栓弁３２０を、消火栓弁収納箱１００の内部と外部との間で通過させることができる形状を有する。
【００１２】
消火栓弁収納箱１００は、配管が設けられている壁３００に取り付けられる。これに応じて、開口部１１０は、消火栓弁収納箱１００の外面のうちの壁３００に取り付けられる面である背面１０４に形成されている。具体的には、開口部１１０は、背面１０４における、配管に接続された消火栓弁３２０の位置に対応する位置に形成されている。
【００１３】
壁３００に略平行な面において、開口部１１０の最小断面積は、配管に接続された消火栓弁３２０の最大断面積よりも大きく、長穴形状を有する。開口部１１０の形状は、少なくとも配管に接続された消火栓弁３２０を消火栓弁収納箱１００の内部と外部との間で通過させることができる形状を有していればよく、長穴形状に限らない。たとえば、開口部１１０の形状は、円形、楕円形、正方形、長方形、その他多角形、消火栓弁３２０の外周形状に沿った形状などであってもよい。
【００１４】
ここで、消火栓弁収納箱１００は、壁３００と背面１０４とが固定されることにより、壁３００と固定される。たとえば、背面１０４にネジ穴を形成し、当該ネジ穴を挿通するネジにより壁３００と背面１０４とを固定する。この場合、背面１０４において、ネジ穴は、壁３００の構造に応じた位置に形成される。構造が異なる様々な種類の壁３００に背面１０４を固定することができるように、また、防水および防塵の観点からも、背面１０４においては、開口部１１０の面積ができる限り狭いほうが好ましい。
【００１５】
たとえば、図３に示すように、開口部１１０の形状を長穴形状とする場合、開口部１１０は、高さ方向（消火栓弁収納箱４００の高さ方向）において、配管に接続された６５Ａ×１８０°規格の消火栓弁３２０の最大高さＨ１（略２３０mm）よりも大きい、最大高さＨ２（略２８５ｍｍ）を有すれば十分である。また、幅方向（消火栓弁収納箱４００の幅方向）においては、配管に接続された消火栓弁３２０の最大幅Ｗ１（略１２０ｍｍ）よりも大きい、最大幅Ｗ２（略１５０ｍｍ）を有すれば十分である。
【００１６】
図３に示すように、消火栓弁３２０が配管に接続されており、消火栓弁収納箱１００が壁３００に取り付けられている状態から、たとえば、消火栓弁収納箱１００を壁３００から取り外す場合、まず、消火栓弁収納箱１００と壁３００とを固定するネジなどの固定部材を取り外す。そして、消火栓弁３２０を開口部１１０を通過させながら、消火栓弁収納箱１００を、壁３００に対して略垂直に、正面１０２の方向に移動させる。これにより、消火栓弁３２０を配管から取り外すことなく、消火栓弁収納箱１００を壁３００から取り外すことができる。
【００１７】
一方、消火栓弁３２０が配管に接続されており、消火栓弁収納箱１００が壁３００に取り付けられていない状態から、消火栓弁収納箱１００を壁３００に取り付ける場合、まず、消火栓弁３２０を開口部１１０を通過させながら、消火栓弁収納箱１００を、壁３００に対して略垂直に、背面１０４の方向に移動させる。そして、ネジなどの固定部材により、消火栓弁収納箱１００と壁３００とを固定する。これにより、消火栓弁３２０を配管から取り外すことなく、消火栓弁収納箱１００を壁３００に取り付けることができる。
【００１８】
図４は、屋外用の消火栓弁収納箱４００の、正面扉４０３を装着した状態の正面図、右側面図、および正面扉４０３を取り外した状態の正面図を示す。
【００１９】
消火栓弁収納箱４００は、配管４２０に接続された６５Ａ×９０°規格の消火栓弁４３０を内部に収納する。また、消火栓弁収納箱４００は、消火栓弁４３０の吐出口に接続される消火用ホース４４４、および消火用ホース４４４に接続される消火用ノズル４４２を内部に収納する。消火栓弁収納箱４００は、主に鋼板などの金属材料を用いて製造されており、脚部を除いて、高さ９００ｍｍ×幅６００ｍｍ×奥行き２５０ｍｍの直方体形状を有する。消火栓弁収納箱４００の正面には、開閉自在な正面扉４０３が設けられている。
【００２０】
消火栓弁収納箱４００には、当該消火栓弁収納箱４００の外部から内部に配管４２０を取り込むための開口部４１０が形成されている。開口部４１０は、配管４２０に接続された消火栓弁４３０を、消火栓弁収納箱４００の内部と外部との間で通過させることができる形状を有する。
【００２１】
開口部４１０は、消火栓弁収納箱４００の外面のうちの右側面４０４に形成されている。具体的には、開口部４１０は、右側面４０４における、配管４２０に接続された消火栓弁４３０の位置に対応する位置に形成されている。消火栓弁４３０は、導入口（配管４２０の接続口）が消火栓弁収納箱４００の右側面４０４を向く方向で、吐出口（消火用ホースの接続口）が消火栓弁収納箱４００の正面を向く方向で、配管４２０に接続されている。
【００２２】
右側面４０４に略平行な面において、開口部４１０の最小断面積は、配管４２０に接続された消火栓弁４３０の最大断面積よりも大きく、長穴形状を有する。防水、防塵、および防犯の観点から、右側面４０４においては、開口部４１０の面積ができる限り狭いほうが好ましい。
【００２３】
たとえば、図４に示すように、開口部４１０の形状を長穴形状とする場合、開口部４１０は、高さ方向（消火栓弁収納箱４００の高さ方向）において、配管４２０に接続された６５Ａ×９０°規格の消火栓弁４３０の最大高さ（略１１６mm）よりも大きい、最大高さ（略１５０ｍｍ）を有すれば十分である。また、幅方向（消火栓弁収納箱４００の奥行き方向）においては、配管４２０に接続された６５Ａ×９０°規格の消火栓弁４３０の最大幅（略１４９ｍｍ）よりも大きい、最大幅（略２００ｍｍ）を有すれば十分である。
【００２４】
図４に示すように、消火栓弁４３０が配管４２０に接続されており、消火栓弁４３０が消火栓弁収納箱４００に内部に収納されている状態（消火栓弁収納箱４００が設置されている状態）から、たとえば、消火栓弁収納箱４００を撤去する場合、消火栓弁４３０を開口部４１０を通過させながら、消火栓弁収納箱４００を、左側面４０６の方向に移動させる。これにより、消火栓弁４３０を配管４２０から取り外すことなく、消火栓弁収納箱４００を撤去することができる。
【００２５】
一方、消火栓弁４３０が配管４２０に接続されており、消火栓弁４３０が消火栓弁収納箱４００に内部に収納されていない状態（消火栓弁収納箱４００が撤去されている状態）から、消火栓弁収納箱４００を設置する場合、消火栓弁４３０を開口部４１０を通過させながら、消火栓弁収納箱４００を、右側面４０４の方向に移動させる。これにより、消火栓弁４３０を配管４２０から取り外すことなく、消火栓弁収納箱４００を設置ことができる。なお、消火栓弁収納箱４００は、消火栓弁収納箱４００が設置されている状態で、開口部４１０と配管４２０との隙間を閉塞する、着脱自在な閉塞部材をさらに備えてもよい。
【００２６】
図５は、屋内用の消火栓弁収納箱５００の、正面扉５０３および正面扉５０５を装着した状態の正面図、右側面図、および正面扉５０３および正面扉５０５を取り外した状態の正面図を示す。
【００２７】
消火栓弁収納箱５００は、配管５２０に接続された４０Ａ×９０°規格の消火栓弁５３０を内部に収納する。また、消火栓弁収納箱５００は、消火栓弁５３０の吐出口に接続される消火用ホース５３４、消火用ホース５３４に接続される消火用ノズル５３２、消火用ノズル５３２および消火用ホース５３４を支持するための架具５３６、およびベルを支持するためのベル台５３８を内部に収納する。消火栓弁収納箱５００は、主に鋼板などの金属材料を用いて製造されており、高さ１３５０ｍｍ×幅７５０ｍｍ×奥行き１８０ｍｍの直方体形状を有する。消火栓弁収納箱５００の正面には、開閉自在な正面扉５０３および正面扉５０５が設けられている。
【００２８】
消火栓弁収納箱５００には、当該消火栓弁収納箱５００の外部から内部に配管５２０を取り込むための開口部５１０が形成されている。開口部５１０は、配管５２０に接続された消火栓弁５３０を、消火栓弁収納箱５００の内部と外部との間で通過させることができる形状を有する。
【００２９】
開口部５１０は、消火栓弁収納箱５００の外面のうちの右側面５０４に形成されている。具体的には、開口部５１０は、右側面５０４における、配管５２０に接続された消火栓弁５３０の位置に対応する位置に形成されている。消火栓弁５３０は、導入口（配管５２０への接続口）が消火栓弁収納箱５００の右側面５０４を向く方向で、吐出口（消火用ホースの接続口）が消火栓弁収納箱５００の下面を向く方向で、配管５２０に接続されている。
【００３０】
右側面５０４に略平行な面において、開口部５１０の最小断面積は、配管５２０に接続された消火栓弁５３０の最大断面積よりも大きく、長方形状を有する。防水、防塵、および防犯の観点から、右側面５０４においては、開口部５１０の面積ができる限り狭いほうが好ましい。
【００３１】
たとえば、図５に示すように、開口部５１０の形状を長方形状とする場合、開口部５１０は、高さ方向（消火栓弁収納箱５００の高さ方向）および幅方向（消火栓弁収納箱５００の奥行き方向）のそれぞれにおいて、配管５２０に接続された４０Ａ×９０°規格の消火栓弁５３０よりも、わずかに大きいサイズを有すれば十分である。
【００３２】
図５に示すように、消火栓弁５３０が配管５２０に接続されており、消火栓弁５３０が消火栓弁収納箱５００に内部に収納されている状態（消火栓弁収納箱５００が設置されている状態）から、たとえば、消火栓弁収納箱５００を撤去する場合、消火栓弁５３０を開口部５１０を通過させながら、消火栓弁収納箱５００を、左側面５０６の方向に移動させる。これにより、消火栓弁５３０を配管５２０から取り外すことなく、消火栓弁収納箱５００を撤去することができる。
【００３３】
一方、消火栓弁５３０が配管５２０に接続されており、消火栓弁５３０が消火栓弁収納箱５００に内部に収納されていない状態（消火栓弁収納箱５００が撤去されている状態）から、消火栓弁収納箱５００を設置する場合、消火栓弁５３０を開口部５１０を通過させながら、消火栓弁収納箱５００を、右側面５０４の方向に移動させる。これにより、消火栓弁５３０を配管５２０から取り外すことなく、消火栓弁収納箱５００を設置ことができる。なお、消火栓弁収納箱５００は、消火栓弁収納箱５００が設置されている状態で、開口部５１０と配管５２０との隙間を閉塞する、着脱自在な閉塞部材をさらに備えてもよい。
【００３４】
図６は、屋外用の消火栓弁収納箱６００の、正面扉６０３および正面扉６０５を装着した状態の正面図、右側面図、および正面扉６０３および正面扉６０５を取り外した状態の正面図を示す。
【００３５】
消火栓弁収納箱６００は、配管６２０に接続された６５Ａ×９０°規格の消火栓弁６３０を内部に収納する。また、消火栓弁収納箱６００は、消火栓弁６３０の吐出口に接続される消火用ホース６３４、消火用ホース６３４に接続される消火用ノズル６３２、消火用ノズル６３２および消火用ホース６３４を支持するための架具６３６、およびベルを支持するためのベル台６３８を内部に収納する。消火栓弁収納箱６００は、主に鋼板などの金属材料を用いて製造されており、脚部を除いて、高さ１５５０ｍｍ×幅８５０ｍｍ×奥行き２５０ｍｍの直方体形状を有する。消火栓弁収納箱６００の正面には、開閉自在な正面扉６０３および正面扉６０５が設けられている。
【００３６】
消火栓弁収納箱６００には、当該消火栓弁収納箱６００の外部から内部に配管６２０を取り込むための開口部６１０が形成されている。開口部６１０は、配管６２０に接続された消火栓弁６３０を、消火栓弁収納箱６００の内部と外部との間で通過させることができる形状を有する。
【００３７】
開口部６１０は、消火栓弁収納箱６００の外面のうちの右側面６０４に形成されている。具体的には、開口部６１０は、右側面６０４における、配管６２０に接続された消火栓弁６３０の位置に対応する位置に形成されている。消火栓弁６３０は、導入口（配管６２０への接続口）が消火栓弁収納箱６００の右側面６０４を向く方向で、吐出口（消火用ホースの接続口）が消火栓弁収納箱６００の下面を向く方向で、配管６２０に接続されている。
【００３８】
右側面６０４に略平行な面において、開口部６１０の最小断面積は、配管６２０に接続された消火栓弁６３０の最大断面積よりも大きく、長穴形状を有する。防水、防塵、および防犯の観点から、右側面６０４においては、開口部６１０の面積ができる限り狭いほうが好ましい。
【００３９】
たとえば、図６に示すように、開口部６１０の形状を長穴形状とする場合、開口部６１０は、高さ方向（消火栓弁収納箱６００の高さ方向）において、配管６２０に接続された６５Ａ×９０°規格の消火栓弁６３０の最大高さ（略１４９ｍｍ）よりも大きい、最大高さ（略２００ｍｍ）を有すれば十分である。また、幅方向（消火栓弁収納箱６００の奥行き方向）においては、配管６２０に接続された６５Ａ×９０°規格の消火栓弁６３０の最大幅（略１１６mm）よりも大きい、最大幅（略１５０ｍｍ）を有すれば十分である。
【００４０】
図６に示すように、消火栓弁６３０が配管６２０に接続されており、消火栓弁６３０が消火栓弁収納箱６００に内部に収納されている状態（消火栓弁収納箱６００が設置されている状態）から、たとえば、消火栓弁収納箱６００を撤去する場合、消火栓弁６３０を開口部６１０を通過させながら、消火栓弁収納箱６００を、左側面６０６の方向に移動させる。これにより、消火栓弁６３０を配管６２０から取り外すことなく、消火栓弁収納箱６００を撤去することができる。
【００４１】
一方、消火栓弁６３０が配管６２０に接続されており、消火栓弁６３０が消火栓弁収納箱６００に内部に収納されていない状態（消火栓弁収納箱６００が撤去されている状態）から、消火栓弁収納箱６００を設置する場合、消火栓弁６３０を開口部６１０を通過させながら、消火栓弁収納箱６００を、右側面６０４の方向に移動させる。これにより、消火栓弁６３０を配管６２０から取り外すことなく、消火栓弁収納箱６００を設置ことができる。なお、消火栓弁収納箱６００は、消火栓弁収納箱６００が設置されている状態で、開口部６１０と配管６２０との隙間を閉塞する、着脱自在な閉塞部材をさらに備えてもよい。
【００４２】
以上、本考案を実施の形態を用いて説明したが、本考案の技術的範囲は上記実施の形態に記載の範囲には限定されない。上記実施の形態に、多様な変更または改良を加えることができることが当業者に明らかである。その様な変更または改良を加えた形態も本考案の技術的範囲に含まれ得ることが、実用新案登録請求の範囲の記載から明らかである。
【符号の説明】
【００４３】
１００  消火栓弁収納箱、１０２  正面、１０３  正面扉、１０４  背面、１１０  開口部、３００  壁、３２０  消火栓弁、４００  消火栓弁収納箱、４０３  正面扉、４０４  右側面、４０６  左側面、４１０  開口部、４２０  配管、４３０  消火栓弁、４４２  消火用ノズル、４４４  消火用ホース、５００  消火栓弁収納箱、５０３  正面扉、５０５  正面扉、５０４  右側面、５０６  左側面、５１０  開口部、５２０  配管、５３０  消火栓弁、５３２  消火用ノズル、５３４  消火用ホース、５３６  架具、５３８  ベル台、６００  消火栓弁収納箱、６０３  正面扉、６０５  正面扉、６０４  右側面、６０６  左側面、６１０  開口部、６２０  配管、６３０  消火栓弁、６３２  消火用ノズル、６３４  消火用ホース、６３６  架具、６３８  ベル台
【図１】
0003150982.tif 000003
【図２】
0003150982.tif 000004
【図３】
0003150982.tif 000005
【図４】
0003150982.tif 000006
【図５】
0003150982.tif 000007
【図６】
0003150982.tif 000008